(57)【特許請求の範囲】
【請求項１】
入力されたドキュメントの描写であるプリント出力のカラースペクトル全体を選択的に調節するためのユーザインターフェースを備えたカラープリンティング装置用制御システムであって、
前記プリント出力の外観のカラー範囲全体を示す調節可能なカラースペクトルの固定バー表示を含み、
前記固定バー表示に対応して前記プリント出力のカラー色相スペクトルを示すスライドバーを含む、前記固定バー表示に対応して前記プリント出力の前記カラースペクトル全体をシフトするための選択制御を有する前記ユーザインターフェースを含み、該ユーザインターフェースが、前記プリント出力上のユーザ入力コマンドの影響を表すためのユーザ入力コマンドの表示装置と、前記ユーザ入力コマンドの実施に従った前記プリント出力の外観における調節を伝達するための前記プリント出力上の影響の動的画像表示と、
を備え、
前記スライドバーは、前記ユーザ入力コマンドを実施した結果としてスキントーンカラー及び画像全体における色相シフトの影響表示を伝達するために、前記固定バー表示に相関して平行移動し、前記固定バー表示は、前記ユーザ入力コマンドを実施しなかった場合の前記プリント出力の外観のカラースペクトラム全体を示す、
ことを特徴とする、カラープリンティング装置用制御システム。
【請求項２】
前記調節可能な出力がカラー色相を含む、請求項１に記載の制御システム。
【請求項３】
前記選択制御が、タッチセンシティブ機構を有するユーザインターフェースディスプレイデバイスを含む、請求項１に記載の制御システム。
【請求項４】
前記動的画像表示が、前記カラースペクトルの全表示を備えた環境に表示されるスキントーン部分を含む、請求項１に記載の制御システム。
【請求項５】
前記表示装置及び前記動的画像が、前記ユーザによる選択的調節と協働して通信する、請求項４に記載の制御システム。
【請求項６】
前記ユーザインターフェースが、前記スペクトル及び前記画像表示の選択初期設定を含む、請求項１に記載の制御システム。
【発明の詳細な説明】
【０００１】
【発明の属する技術分野】
本発明は、ゼログラフィー又はプリンティングシステムに関し、詳細には、カラープリント出力を有するゼログラフィー又はプリンティングシステムに関する。更に詳細には、本発明は、カラープリントの色相を選択的に調節するためのユーザインターフェースに関する。しかしながら、本発明が、例えば、彩度、ルミネセンス等の、プリント又はディスプレイ出力の他の調節可能な特徴、又はオペレータの選好を実行するために同様のユーザインターフェースが用いられる場合に、容易に適応しうることが当業者には理解されるであろう。
【０００２】
【従来の技術】
プリンタ、コピー機、又はパーソナルコンピュータによる画像情報のプリンティング又はディスプレイは、様々なインターフェースを介してオペレータによって制御されることができる。一般のインターフェースは、コンビネーションタッチパッド及びディスプレイスクリーン、キーパッド又はマウス制御などの多数のシステム及びデバイスを有し、これらは、システム特徴及びオプションのアイコン表示のためのツールバーにしばしばアクセスし、全てがプリンタ又はディスプレイを制御する処理能力を有する。オペレータが容易にインターフェース制御を利用できるように、このようなシステムは、制御コマンドの結果を識別するイラスト表示を備えることが知られている。このようなイラストは、ユーザの命令に応答して状態又は状態の変化を表すであろうアイコンを有するのが通常である。一般的な例として、ユーザがレターサイズからＡ４、法定サイズ、又は他のサイズにプリンティング出力を調節する際の複写システムにおける用紙サイズの表示が挙げられる。このような表示アイコンの問題点は、入力制御の些少の調節からカラープリンティングに起こりうるような、出力における微妙な外観変化の結果に関する正確な識別を表示アイコンが伝達できないというものである。特に、システム状況を表すアイコンはシステムの出力の正確な表示を適切に伝達できないことがありうる。一方、多数の制御が調節されると、事前に存在する初期設定状態から離れる相対的調節を識別するアイコンは、単に初期設定状態から離れる傾向を識別することはできるが、出力上の結果を正確及び適切に表すことができない。例えば、色相シフトなどの色相制御の調節は、特定のユーザの選好を満たすためにユーザの要求に応じられるのが通常である。語句「色相シフト」又は「色相制御」は、オペレータによって知覚されるカラーの属性の変化をフルカラースペクトル全域にわたって述べるために用いられる。このようなスペクトルは、人間のユーザによって知覚される種々の光波長に直接関与し、例えば、赤、黄、緑、青、紫、及びマゼンタから成る連続的なカラースペクトルを構成するであろう。
【０００３】
図１は、カラーの色相をシフトするためのカラーコピー機の制御インターフェースの従来の実施例を示す。インターフェースは、ＬＣＤディスプレイ上にタッチスクリーン制御を更に備えたスクリーンを有する。この実行において、同心カラースペクトルリングがユーザの調節の効果を示すために用いられる。更に詳細には、インナー（内側の）リング１０が、元の入力画像のカラーがコピー機システムによってどのように知覚されるかの指標として、赤、黄、緑、シアン、青、及びマゼンタのスペクトルの基準を定める。
【０００４】
アウター（外側の）リング１２は、初期設定状態においてインナーリングと正確に位置合わせされ、出力プリントが入力色相と同一のシステム色相を有するであろうことを示す、入力色相と同一のスペクトルを有する。しかしながら、プリント出力をチェックする際、ユーザは出力色相が許容不可能なのか又は改善可能であるのかを判別しうる。実際問題として、大抵のユーザは出力プリント画像のスキントーンを改善しようとしてカラー色相をシフトしようと努めるが、現在のシステムはそのシフトが出力全体にどのような影響を及ぼすかをより正確に示す表示画像を全く提供せず、また、ユーザは、許容可能なプリント出力が得られるまで試行錯誤して多数のコピー操作の段階を踏まなければならないことが多い。単にスキントーンを改善しようとした結果、色相に対する変更が出力プリントカラーの全スペクトルにわたって実行されるため、このような試行錯誤の操作なしに、オペレータがカラー色相の変更を予測することは非常に難しく、そのためこのような努力は克服するのに時間を要する問題でありうる。
【０００５】
更に詳細には、また、コピー操作を参照して、この特徴は全てのカラーにおけるシフトが隣接する色相に行われることを可能とする。これが有益となり得る場合の他の例として、コピーされているドキュメントが用途のために適切なカラーを有さない際が挙げられる。２つの矢印ボタン（１４、１６）のうちの１つをタッチすることにより、全体のコピーカラーをシフトさせることができる。
【０００６】
インナーカラーリング１０は、コピーされているドキュメントのカラーを表し、回転してカラーがシフトする方向を示す。アウターリング１２はコピー（図示されず）上に現れるカラーを表す。例えば、右矢印ボタン１４が選択される場合、赤色Ｒは黄色相Ｙに向ってシフトし、青色Ｂはマゼンタ色相Ｍに向ってシフトし、また緑色Ｇはシアン色相Ｃに向ってシフトする。これらのカラーの間に入る全てのカラーもまた同様の方向にシフトする。
【０００７】
左矢印ボタン１６が選択される場合、赤色Ｒはマゼンタ色相Ｍに向ってシフトし、青色Ｂはシアン色相Ｃに向ってシフトし、緑色Ｇは黄色相Ｙに向ってシフトする。また、これらのカラーの間に入る全てのカラーも同様の方向にシフトする。
【０００８】
【発明が解決しようとする課題】
図１のインターフェースシステムは、カラー色相のシフトを示すが、どの程度のシフトが適当であるかの適切な決定に備えて、シフトの厳密な結果をユーザに知らせることができない。このため、試行錯誤が行われなければならない。
【０００９】
【課題を解決するための手段】
本発明に従って、プリント出力を選択的に調節するためのユーザインターフェースを含む、カラープリンタ又はコピー機用制御システムが提供される。このシステムは、ユーザに出力のカラー範囲を示す調節可能なカラースペクトルの例示的表示を備える。ユーザインターフェースは、ユーザの入力コマンドの表示装置を含み、出力上のユーザのコマンドの影響を表す選択制御を更に有する。プリント出力における影響を示す動的画像表示は、ユーザのコマンドの実行に従ったプリント出力の外観の調節を同時に伝達する。従って、画像表示はカラースペクトル全体にわたる色相コマンドの変更の影響に関する優れた指標をユーザに提供し、ユーザは、このような制御コマンドによりプリント出力上に起こりうる影響をより迅速に及び効率的に識別することができる。
【００１０】
本発明の他の態様では、選択制御はカラー色相スペクトルを示すスライドバーを有する。タッチセンシティブ機構オーバーレイは、ユーザがコマンドを実行することを可能とするために、カラースペクトルの表示に比例してスライドバーが移動し、入力制御コマンドによる色相シフトの結果をユーザに示す。
【００１１】
本発明の別の態様では、動的画像描写はカラースペクトルの残りの（スキントーン部分以外の）部分を更に含む環境に表示されたスキントーン部分を含む。従って、色相シフトコマンドの結果は、スキントーンの画像表示だけでなく、画像表示の他の部分における影響も参照してユーザに知覚されることができる。
【００１２】
本発明の他の態様では、表示装置と動的画像の表示は共に、ユーザのコマンドの結果を協働的に伝達し、プリント出力において起こりうるコマンドの結果を連帯的にユーザに示唆する。
【００１３】
本発明の更に他の態様では、インターフェースは色相制御の相対的設定のための選択的初期設定を含む。
【００１４】
【発明の実施の形態】
本発明の利用によって得られる１つの利点は、ユーザインターフェースが動的画像表示をディスプレイ又は制御パネルの一部として提供し、ユーザのコマンドに起因する出力の特徴における変更又はシフトによる影響の直接表示が表示される、制御システムにある。画像は、随伴する画像表示と比較して、基本のスペクトルに識別される変更を正確に伝達するために、プリントされた属性のスペクトルの基準表示と合わせて表示される。
【００１５】
ここで、その提示が本発明の好ましい実施形態を示すことのみを目的とし、同一のものに限定することを目的としない図面を参照して、図２は、カラーコピー機２６などにおいて有用な、プリンタ出力２４においてカラー色相を制御するユーザインターフェースとして用いられる、制御パネル／ディスプレイ２２を備えたカラーシフト制御装置２０を示す。
【００１６】
詳細には図３を参照して、制御パネル２２の特定の実施形態が示される。このような制御パネル２２は、コピー機２６に統合された部分を有するＬＣＤディスプレイを含むのが通常である。しかしながら、これに限定されずＣＲＴなどの他のディスプレイでもよい。
【００１７】
図１と比較して、コピーされているドキュメントのカラーを表すカラー色相のスペクトルが、リングとは異なり、バーの形態で示される。スペクトルは連続的なので、円（即ち、リング）の方が直線（即ち、バー）よりスペクトルを正確に表示すると考えられるのは確かである。しかしながら、バー３２はこの態様を伝達するカラーのオーバーラップ（重複）を有する。更に詳細には、示されるバーは、マゼンタ３４、赤３６、黄３８、緑４０、青４２、紫４４、並びに、その後マゼンタ４６及び赤４８が繰り返される範囲を示す。バー３２は固定であるが、調節可能なカラースペクトルの表示から成り、それにより、出力の外観のカラー範囲をユーザに示す。つまり、スペクトルバー３２によって、コピーされているドキュメント上の全てのカラーがユーザに示される。更にスライドバー５２は、基準バー３２と同一の大きさに作成され、赤５４、黄５６、緑５８、青６０、紫６２、及びマゼンタ６４に及ぶカラーブロックを構成するカラーの完全なスペクトルを有する。スライドバー５２は、カラーバー３２に平行し相関した動作で移動し、この特定のディスプレイの形態ではカラーバー３２に関する５つの相関位置を有する。これらの位置は、−２、−１、０、＋１及び＋２として表示される。これらの相関位置は、それぞれ図４及至図８において示される。
【００１８】
図５は、コピーされているドキュメントの知覚されるカラーに、出力プリントを厳密に一致させるようにスライドバー５２が「０」の位置に位置合わせされる工場出荷時設定を示す。つまり、システムは入力ドキュメントと出力ドキュメントの色相を厳密に一致させようとしているのである。図５の位置において、入力ドキュメントの赤、黄、緑などが出力ドキュメントの赤、黄、緑などに厳密に一致するであろうことを示すために、各スライドバーのカラーブロックは隣接する位置に一直線に並べられることが分かる。つまり、システムは工場出荷時にセットされている、すなわち、「０」が示されている表示ボックス７２で「０」の位置が示されているということである。
【００１９】
更に重要なことであるが、動的画像表示７６は、他のカラーのスペクトルだけでなくスキントーンカラーも示すのが好ましい実画像を有するディスプレイ２２内にも含まれる（図２）。画像表示７６の効果は、オペレータによって伝達された調節がここで画像全体の色相シフトの影響をより正確に表すことができ、カラーバー３２と５２との相対移動と協働して伝達及び知覚されることができることである。色相シフトは、オペレータがタッチパッド８２に触れることによって作用され、上述のようにスライドバー５２がスペクトルバー３２に相関して５つの位置のうちの１つに移動することができる。図５及び６に示されるように、オペレータがスライドバー５２を図５に示されるような初期設定時すなわちニュートラルの位置から図６に示される「＋１」の位置に移動させる場合、色相シフトの影響は、赤はより黄色になり、黄色はより緑色になり、緑色はより青色になり、青色はより紫色になり、紫色はよりマゼンタになり、また、マゼンタはより赤くなる。１つの態様として、本発明はこれを２つのバー５２と３２との重複部分におけるシフトによって示す。しかしながら、これよりも更に明瞭な様式は図１に示される同心リング装置によって示される。
【００２０】
−２、−１、０、＋１及び＋２位置間の相関シフトの定義は、容易に識別可能な色相シフトのまず第１の伝達法を提供する。更に重要なことであるが、画像７６の包含により、オペレータが色相シフトコマンドの効果を迅速且つ正確に理解することが可能となる。従って、参照画像７６はスライドバー５２の協働移動に重要な付加的参照点を提供する。本発明は、カラー色相をシフトするユーザインターフェースとして動作する制御機構を有し、この制御機構において、カラー機構は、色相をシフトするためのコマンドに従って変化し、ユーザによって要求される変更をより正確に反映する参照画像としての役割をする写真を伴う。
【００２１】
本発明の他の特徴は、必ずしも工場出荷時設定が「０」である必要はなく、スライドバー６４の５つの異なる設定のうちの何れか１つのモードが、初期設定の位置としてセットされうることである。調節可能な初期設定の実行（調節）は、ディスプレイ２２のツールバーセクションにおいて表されるツールダイアログによって行われる。
【００２２】
更に、タッチパッド８２、８４の導入が好ましい実施形態として示されたが、本制御機構はマウス又は指のスライドによって実行されうる。
【図面の簡単な説明】
【図１】カラーの色相をシフトするためのカラーコピー機の制御インターフェースの従来の実行を示す略図である。
【図２】プリンタ出力においてカラー色相を制御するユーザインターフェースとして用いられる、制御パネル／ディスプレイを備えた、本発明に従ったカラーシフト制御装置を示すブロック図である。
【図３】本発明の他の態様に従って、スライドバーが「−２」の位置に位置合わせされる工場出荷時設定を示すユーザインターフェースのディスプレイを示す。
【図４】本発明の他の様相に従って、スライドバーが「−１」の位置に位置合わせされる工場出荷時設定を示すユーザインターフェースのディスプレイを示す。
【図５】本発明の他の態様に従って、スライドバーが「０」の位置に位置合わせされる工場出荷時設定を示すユーザインターフェースのディスプレイを示す。
【図６】本発明の他の態様に従って、スライドバーが「＋１」の位置に位置合わせされる工場出荷時設定を示すユーザインターフェースのディスプレイを示す。
【図７】本発明の他の態様に従って、スライドバーが「＋２」の位置に位置合わせされる工場出荷時設定を示すユーザインターフェースのディスプレイを示す。
【符号の説明】
２０    初期設定を有する制御装置
２２    画像ディスプレイを有する制御パネル
２４    プリンタ
【図１】
0004619484.tif 000002
【図２】
0004619484.tif 000003
【図３】
0004619484.tif 000004
【図４】
0004619484.tif 000005
【図５】
0004619484.tif 000006
【図６】
0004619484.tif 000007
【図７】
0004619484.tif 000008